(57)【要約】【課題】インターネットなどの光ファイバ通信ラインで使用でき、通信ラインとセンサラインを共有できる光ファイバ通信ラインに接続された光ファイバセンサを提供する。【解決手段】光ファイバ通信ライン（１０，１１ａ）に光学的に結合するように設けられ、コアおよびコアの外周に設けられたクラッドを備えた光ファイバ（１１ｄ，１１ｂ，１１ｅ）を有し、上記の光ファイバは、伝送する光の一部の外界との相互作用を可能にするセンサ部（ＳＰａ，ＳＰｂ，ＳＰｃ，ＳＰｄ）を有し、少なくとも光ファイバ通信ラインからの通信光を伝送する部分１１ｂを含む光ファイバセンサラインであり、さらに、光ファイバセンサラインの入射端に対してセンサ光を出射する光源（１５）と、センサ部を介して光ファイバセンサラインの出射端から出射されるセンサ光を検出する受光部（１５）を有する構成とする。【選択図】図１
2007040738.tif 000002
【特許請求の範囲】
【請求項１】
光ファイバ通信ラインに光学的に結合するように設けられ、コアおよびコアの外周に設けられたクラッドを備えた光ファイバであって、伝送する光の一部の外界との相互作用を可能にするセンサ部を有し、少なくとも前記光ファイバ通信ラインからの通信光を伝送する部分を含む光ファイバセンサラインと、
前記光ファイバセンサラインの入射端に対してセンサ光を出射する光源と、
前記センサ部を介して前記光ファイバセンサラインの出射端から出射される前記センサ光を検出する受光部と
を有する光ファイバ通信ラインに接続された光ファイバセンサ。
【請求項２】
前記センサ部は、前記光ファイバのコア径と異なるコア径を有するヘテロコア部であり、前記光ファイバの中途部に接合されてなる構成である
請求項１に記載の光ファイバセンサ。
【請求項３】
前記センサ部は、前記光ファイバのコアの屈折率あるいはクラッドの屈折率と同等の屈折率を持つ光透過部材が前記光ファイバの中途部に接合されてなる構成である
請求項１に記載の光ファイバセンサ。
【請求項４】
前記光ファイバセンサライン上に、前記光源からの前記センサ光と前記光ファイバ通信ラインからの前記通信光を合波する合波器をさらに有する
請求項１〜３のいずれかに記載の光ファイバセンサ。
【請求項５】
前記通信光と前記センサ光の波長が異なる
請求項４に記載の光ファイバセンサ。
【請求項６】
前記光ファイバセンサライン上に、前記センサ光を前記受光部へ、前記通信光を通信機器へ分波する分波器をさらに有する
請求項１〜５のいずれかに記載の光ファイバセンサ。
【請求項７】
入射端と出射端が前記光ファイバの同一の端部であって、前記受光部が前記センサ部からの後方散乱光を検知する
請求項１〜５のいずれかに記載の光ファイバセンサ。
【請求項８】
前記光ファイバ通信ラインがインターネットである
請求項１〜７のいずれかに記載の光ファイバセンサ。
【請求項９】
前記光ファイバ通信ラインを前記光源とし、前記光ファイバ通信ラインからの前記通信光をそのまま前記センサ光として用いる
請求項１〜３のいずれかに記載の光ファイバセンサ。
【発明の詳細な説明】
【技術分野】
【０００１】
本発明は光ファイバ通信ラインに接続された光ファイバセンサに関し、特に、インターネットなどを構成する光ファイバ通信ラインに接続された光ファイバセンサに関するものである。
【背景技術】
【０００２】
光ファイバセンサは、建築物のセキュリティシステム用センサや圧力センサなどとして広く用いられている。
【０００３】
特許文献１には、ＦＢＧ（fiber bragg grating）と呼ばれる光ファイバセンサについて記載されている。
ＦＢＧは、光ファイバの伝送路上で、ブラッグの原理に従って特定の波長の光を透過あるいは反射するように構成した可変光学フィルタである。
【０００４】
また、非特許文献１には、上記のＦＢＧを光ファイバ通信ライン上に用いた実験についての報告がなされている。
【０００５】
しかし、非特許文献１に記載のようにＦＢＧ光ファイバセンサを光ファイバ通信ライン上に用いた場合、ＦＢＧは波長シフトを計測するため装置全体が複雑かつ高価になる。また、特性が温度に依存するので温度補償も必要で、実際に使用するには種々の課題を克服する必要がある。
【０００６】
上記の光ファイバセンサに関して、いわゆるヘテロコア部をセンサとして用いる構成が特許文献２および特許文献３に記載されている。
また、特許文献２および特許文献３には、インターネットなどの光ファイバ通信ライン上で用いることについての記載はない。
【特許文献１】特公表２００３−５３２１４０号公報
【特許文献２】国際公開９７／４８９９４号パンフレット
【特許文献３】特開２００３−２１４９０６号公報
【非特許文献１】Multifunctional fiber-optics networks for composite structure, Proceedings of SPIE, Vol.5391, pp.741-752
【発明の開示】
【発明が解決しようとする課題】
【０００７】
解決しようとする問題点は、光ファイバセンサをインターネットなどの光ファイバ通信ライン上で使用して通信ラインとセンサラインを共有することが困難であるという点である。
【課題を解決するための手段】
【０００８】
本発明の光ファイバ通信ラインに接続された光ファイバセンサは、光ファイバ通信ラインに光学的に結合するように設けられ、コアおよびコアの外周に設けられたクラッドを備えた光ファイバであって、伝送する光の一部の外界との相互作用を可能にするセンサ部を有し、少なくとも前記光ファイバ通信ラインからの通信光を伝送する部分を含む光ファイバセンサラインと、前記光ファイバセンサラインの入射端に対してセンサ光を出射する光源と、前記センサ部を介して前記光ファイバセンサラインの出射端から出射される前記センサ光を検出する受光部とを有する。
【０００９】
上記の本発明の光ファイバ通信ラインに接続された光ファイバセンサは、光ファイバ通信ラインに光学的に結合するように設けられ、コアおよびコアの外周に設けられたクラッドを備えた光ファイバを有する。
ここで、上記の光ファイバは、伝送する光の一部の外界との相互作用を可能にするセンサ部を有し、少なくとも光ファイバ通信ラインからの通信光を伝送する部分を含む光ファイバセンサラインである。
さらに、光ファイバセンサラインの入射端に対してセンサ光を出射する光源と、センサ部を介して光ファイバセンサラインの出射端から出射されるセンサ光を検出する受光部を有する。
【００１０】
上記の本発明の光ファイバ通信ラインに接続された光ファイバセンサは、好適には、前記センサ部は、前記光ファイバのコア径と異なるコア径を有するヘテロコア部であり、前記光ファイバの中途部に接合されてなる構成である。
あるいは好適には、前記センサ部は、前記光ファイバのコアの屈折率あるいはクラッドの屈折率と同等の屈折率を持つ光透過部材が前記光ファイバの中途部に接合されてなる構成である。
【００１１】
上記の本発明の光ファイバ通信ラインに接続された光ファイバセンサは、好適には、前記光ファイバセンサライン上に、前記光源からの前記センサ光と前記光ファイバ通信ラインからの前記通信光を合波する合波器をさらに有する。
さらに好適には、前記通信光と前記センサ光の波長が異なる。
【００１２】
上記の本発明の光ファイバ通信ラインに接続された光ファイバセンサは、好適には、前記光ファイバセンサライン上に、前記センサ光を前記受光部へ、前記通信光を通信機器へ分波する分波器をさらに有する。
あるいは好適には、入射端と出射端が前記光ファイバの同一の端部であって、前記受光部が前記センサ部からの後方散乱光を検知する。
【００１３】
上記の本発明の光ファイバ通信ラインに接続された光ファイバセンサは、好適には、前記光ファイバ通信ラインがインターネットである。
また、好適には、前記光ファイバ通信ラインを前記光源とし、前記光ファイバ通信ラインからの前記通信光をそのまま前記センサ光として用いる。
【発明の効果】
【００１４】
本発明の光ファイバ通信ラインに接続された光ファイバセンサは、光ファイバセンサをインターネットなどの光ファイバ通信ライン上で使用でき、通信ラインとセンサラインを共有することが可能である。
【発明を実施するための最良の形態】
【００１５】
以下に、本発明の光ファイバ通信ラインに接続された光ファイバセンサの実施の形態について、図面を参照して説明する。
【００１６】
第１実施形態
図１は本実施形態に係る光ファイバ通信ラインに接続された光ファイバセンサの模式構成図である。
例えば、国際的な光ファイバ通信網であるインターネット１０に接続して、第１光ファイバ１１ａ、第２光ファイバ１１ｂ、第３光ファイバ１１ｃが設けられており、第３光ファイバ１１ｃの端部にメディアコンバータあるいはモデムなどの接続機器１２が設けられ、接続機器１２にパーソナルコンピュータ１３が接続されている。この場合、第１光ファイバ１１ａ、第２光ファイバ１１ｂ及び第３光ファイバ１１ｃは光ファイバ通信ラインを構成しており、これを介してパーソナルコンピュータ１３はインターネット１０などに接続している構成である。
例えば、インターネット１０とパーソナルコンピュータ１３間で、第１光ファイバ１１ａ、第２光ファイバ１１ｂ及び第３光ファイバ１１ｃを介して、１．３１μｍ及び１．４９μｍの波長の通信光が授受されて、情報通信がなされる。
【００１７】
上記において、第１光ファイバ１１ａと第２光ファイバ１１ｂの接続部分に合波器１４が設けられ、第４光ファイバ１１ｄが接続されており、ＯＤＴＲ（Optical Time Domain Reflectometer）計測器１５が接続されている。ＯＴＤＲ計測器１５は、後方錯乱光を利用して光ファイバの損失などを測定する機器である。
また、第２光ファイバ１１ｂと第３光ファイバ１１ｃの接続部分に分波器１６が設けられ、第５光ファイバ１１ｅが接続されている。第５光ファイバ１１ｅは不図示の光ファイバや接続機器などに接続されている。
ここで、第４光ファイバ１１ｄ、第２光ファイバ１１ｂ及び第５光ファイバ１１ｅ上にはセンサ部（ＳＰａ，ＳＰｂ，ＳＰｃ，ＳＰｄ）が設けられ、光ファイバセンサラインを構成する。即ち、第２光ファイバ１１ｂは光ファイバ通信ラインと光ファイバセンサラインで共有されている構成である。
【００１８】
ＯＤＴＲ計測器１５は、例えばレーザダイオードや発光ダイオードなどを内蔵して、通信光と異なる波長である１．５５μｍの波長のセンサ光を発光し、第４光ファイバ１６ｄの入射端に入射する。
センサ光は、合波器１４において第１光ファイバ１１ａから伝送された通信光と合波され、第２光ファイバ１１ｂへと伝送される。
合波したセンサ光と通信光が第２光ファイバ１１ｂを伝送した後、分波器１６において、センサ光は第５光ファイバ１１ｅ側に伝送され、一方、通信光は第３光ファイバ１１ｃを経て接続機器１２へと伝送される。
上記のように、通信光とセンサ光の波長が異なっていることにより、合波器での合波や分波器での分波が可能となっている。
【００１９】
ＯＤＴＲ計測器１５は、センサ光を発光するとともに、センサ部（ＳＰａ〜ＳＰｄ）からの後方散乱光を受光する。即ち、本実施形態においてセンサ光の入射端と出射端が光ファイバセンサとしての同一の端部であって、受光部となるＯＤＴＲ計測器１５がセンサ部（ＳＰａ〜ＳＰｄ）からの後方散乱光を検知し、各センサ部（ＳＰａ〜ＳＰ）で測定しようとしている情報が得られる。特に、ＯＴＤＲ計測器１５での計測では、センサライン上にセンサ部を直列に複数個配置することができる。これは、後方散乱光での測定により、いずれの位置のセンサ部からの散乱であるかを識別可能であることによる。
【００２０】
上記の光ファイバセンサラインを構成する光ファイバとセンサ部について説明する。
図２（ａ）は、センサ部ＳＰの構成の一例を示すための、光ファイバ（２０ａ，２０ｂ）のセンサ部ＳＰ近傍での斜視図であり、図２（ｂ）はセンサ部ＳＰ近傍での長手方向の断面図である。
例えば、光ファイバセンサラインを構成する各光ファイバは、光ファイバ通信ラインの光ファイバと同じ構成、即ち、例えばコア径９μｍのシングルモードファイバであり、一方の光ファイバ２０ａと他方の光ファイバ２０ｂの間にセンサ部ＳＰが設けられているものとする。
光ファイバ（２０ａ，２０ｂ）は、コア２１と、その外周部に設けられたクラッド２２とを有する。光源より伝送された光は、光入射端側からコア２１に入射され、センサ部ＳＰを介して光出射端側のコア２１から受光部へと出射される。
【００２１】
図２（ａ）および（ｂ）に示すセンサ部ＳＰは、光ファイバ（２０ａ，２０ｂ）のコア径と異なるコア径を有するヘテロコア部３であり、コア３１と、その外周部に設けられたクラッド３２とを有する。
ヘテロコア部３におけるコア３１の径ｂｌは、光ファイバ（２０ａ，２０ｂ）のコア２１の径ａｌより小さく、例えばａｌ＝９μｍ、ｂｌ＝５μｍである。また、ヘテロコア部３の長さｃｌは数ｍｍ〜数ｃｍであり、例えば１ｍｍ程度である。
光ファイバ（２０ａ，２０ｂ）とセンサ部ＳＰを構成するヘテロコア部３は、長手方向に直交する界面４でコア同士が接合するようにほぼ同軸に、例えば汎用化されている放電による融着などにより、接合されている。
【００２２】
図２（ａ）および（ｂ）に示すように、光ファイバ（２０ａ，２０ｂ）の中途部にセンサ部ＳＰが接合されてなる構成において、ヘテロコア部３におけるコア３１の径ｂｌと光ファイバ（２０ａ，２０ｂ）のコア２１の径ａｌとが界面４で異なっており、このコア径の差に起因して光の一部がヘテロコア部３のクラッド３２にリークＷする。リークＷを小さくするように、コア２１とコア３１の径の組み合わせをすると大部分の光は再び光ファイバ２１に入射し、伝送される。このとき、センサの挿入損失は小さく、また、リークＷの程度は屈曲などの外界の変化により、鋭敏に変化する。また、コア２１とコア３１の径の組み合わせによっては、リークＷを極度に大きくすることもできる。この場合、多くのリークＷの光がクラッド３２と外界との境界面においてエバネッセント波を発生させ、外界に作用させ変化を感受することができる。
【００２３】
上記のようにリークした光は、センサ部ＳＰにおける光ファイバの屈曲の度合いや光ファイバが置かれている環境に応じて変化するので、外界と相互作用した結果生じた変化を検知することで、センサ部ＳＰで測定しようとして情報を得ることができる。
【００２４】
センサ部ＳＰとしては、他の構成を採用することも可能である。
図３（ａ）及び（ｂ）は、センサ部ＳＰの構成の一例を示すための、光ファイバ（２０ａ，２０ｂ）のセンサ部ＳＰ近傍での長手方向の断面図である。
図３（ａ）では、センサ部ＳＰを構成するヘテロコア部３のコア３１の径ｂｌが、光ファイバ（２０ａ，２０ｂ）のコア２１の径ａｌよりも大きな構成となっている。
図３（ｂ）に示すように、ヘテロコア部の代わりに、センサ部ＳＰは、光ファイバ（２０ａ，２０ｂ）のコア２１の屈折率あるいはクラッド２２の屈折率と同等の屈折率を持つ光透過部材３０が光ファイバ（２０ａ，２０ｂ）の中途部に接合されてなる構成とすることもできる。
【００２５】
上記のセンサ部では、用途に応じて様々な場所に設置することができる。
例えば、建築物のセキュリティシステムなどに用いられる場合には、光ファイバ通信ラインが引き込まれている建築物においてドアや窓などの開口部の開閉情報を得ることができ、また、環境モニタリングシステムなどに用いられる場合には、センサラインが敷設された森林などの自然環境における降雨量、積雪量、地下水や湿地帯の水位、風圧、植物の成長情報などの環境情報を得ることができ、あるいは、トンネルや橋などの建造物に配設される場合には建造物の亀裂や歪みの建造物情報を得ることができる。
【００２６】
上記の構造のセンサ部は、例えば、センサラインに接続したことにより伝送される光信号の強度が１ｄＢ低下し、さらにセンサ部のＯＮ／ＯＦＦ切り替え時にさらに１ｄＢ程度低下する。
即ち、上記の構成のセンサ部をセンサライン上に５個直列に接続しても、伝送のロスは５〜１０ｄＢ程度であり、接続機器１２などの信号強度許容量が５〜１０ｄＢあれば、例えば直列に５個接続しても特に問題にはならない。
【００２７】
図面上は４個接続しているが、もちろん、上記以外の個数でもよく、いずれか１個が設けられた構成でもよい。
また、センサ部の配置は、光ファイバセンサラインと通信ラインで共有される部分の光ファイバ上でもよく、通信ラインと分岐した後のセンサライン上でもよい。
【００２８】
上記のように、本実施形態に係る光ファイバセンサは、光ファイバ通信ラインに光学的に結合するように設けられ、コアおよびコアの外周に設けられたクラッドを備えたシングルモードタイプの光ファイバを有し、ここで、上記の光ファイバは、伝送する光の一部の外界との相互作用を可能にするセンサ部を有し、少なくとも光ファイバ通信ラインからの通信光を伝送する部分を含む光ファイバセンサラインであり、さらに、光ファイバセンサラインの入射端に対してセンサ光を出射する光源と、センサ部を介して光ファイバセンサラインの出射端から出射されるセンサ光を検出する受光部を有する構成である。
【００２９】
従って、本実施形態の光ファイバセンサによると、光ファイバセンサをインターネットなどの光ファイバ通信ライン上で使用でき、通信ラインとセンサラインを共有することが可能である。
さらに、インターネットなどの光ファイバ通信ライン上で光ファイバセンサを使用する場合、センサの出力を光ファイバ通信ラインから取り出すことが可能となり、例えばセキュリティシステムに適用する場合には、セキュリティ情報の管理をインターネット上で取り扱うことが可能となり、例えばインターネット接続業者が既存の設備を利用して容易にインターネット加入者のセキュリティ管理事業を行うことができる。
また、環境モニタリングや建造物モニタリングの場合でも、既に光ファイバ通信ラインが敷設されている領域を容易に上記のモニター領域にすることが可能である。
【００３０】
第２実施形態
図４は本実施形態に係る光ファイバ通信ラインに接続された光ファイバセンサの模式構成図である。
第１実施形態と同様に、例えばインターネット１０に接続して、第１光ファイバ１１ａ、第２光ファイバ１１ｂ及び第３光ファイバ１１ｃが設けられて光ファイバ通信ラインを構成し、これに接続して接続機器１２及びパーソナルコンピュータ１３が設けられている。
【００３１】
また、第１光ファイバ１１ａと第２光ファイバ１１ｂの接続部分に合波器１４が設けられ、第４光ファイバ１１ｄが接続されており、レーザダイオードや発光ダイオードなどの光源１７が接続されている。
また、第２光ファイバ１１ｂと第３光ファイバ１１ｃの接続部分に分波器１６が設けられ、第５光ファイバ１１ｅが接続されている。第５光ファイバ１１ｅはフォトダイオードなどの受光部１８が接続されている。
【００３２】
ここで、第２光ファイバ１１ｂ上には、第１実施形態と同様の構成のセンサ部ＳＰが設けられ、第４光ファイバ１１ｄ、第２光ファイバ１１ｂ及び第５光ファイバ１１ｅは光ファイバセンサラインを構成する。即ち、第２光ファイバ１１ｂは光ファイバ通信ラインと光ファイバセンサラインで共有されている構成である。
【００３３】
光源１７は、例えば１．５５μｍの波長のセンサ光を発光し、第４光ファイバ１６ｄの入射端に入射する。
センサ光は、合波器１４において第１光ファイバ１１ａから伝送された通信光と合波され、第２光ファイバ１１ｂへと伝送される。
合波したセンサ光と通信光が第２光ファイバ１１ｂを伝送した後、分波器１６において、センサ光は第５光ファイバ１１ｅ側に伝送され、受光部１８で受光される。受光部１８で電気信号に変更されたセンサ情報は、例えばパーソナルコンピュータ１３に入力されて所定の情報処理がなされる。
一方、通信光は第３光ファイバ１１ｃを経て接続機器１２へと伝送される。
上記のように受光部で受光されたセンサ光の情報から、第１実施形態と同様に、セキュリティ情報、環境情報あるいは建造物情報などのセンサ部ＳＰで測定しようとしている情報が得られる。
【００３４】
本実施形態では、１本の光ファイバセンサライン上に１つのセンサ部を配置しているが、第１実施形態と同様に複数のセンサ部を配置してもよい。ただし、受光部１８で得られる情報は各センサ部によるセンサ光の情報が合わせられた情報となるので、いずれのセンサ部による情報であるのか不明でもよい場合に適用できる。または、それぞれのセンサのOn状態‐Off状態における差の損失量を異なる値に設定することにより、合わせられた情報であってもいずれのセンサ部の情報か識別できる場合もある。
【００３５】
上記のように、本実施形態に係る光ファイバセンサは、光ファイバ通信ラインに光学的に結合するように設けられ、コアおよびコアの外周に設けられたクラッドを備えたシングルモードタイプの光ファイバを有し、ここで、上記の光ファイバは、伝送する光の一部の外界との相互作用を可能にするセンサ部を有し、少なくとも光ファイバ通信ラインからの通信光を伝送する部分を含む光ファイバセンサラインであり、さらに、光ファイバセンサラインの入射端に対してセンサ光を出射する光源と、センサ部を介して光ファイバセンサラインの出射端から出射されるセンサ光を検出する受光部を有する構成である。
【００３６】
従って、本実施形態の光ファイバセンサによると、光ファイバセンサをインターネットなどの光ファイバ通信ライン上で使用でき、通信ラインとセンサラインを共有することが可能である。
【００３７】
第３実施形態
図５は本実施形態に係る光ファイバ通信ラインに接続された光ファイバセンサの模式構成図である。
第１実施形態に示す光ファイバセンサにおいて、光ファイバ通信ラインを構成する第１光ファイバ１１ａ及び第３光ファイバ１１ｃ上にも、センサ部（ＳＰｅ，ＳＰｆ）を配置する構成である。
この場合、第１光ファイバ１１ａ及び第３光ファイバ１１ｃには通信光のみが伝送されており、センサ部（ＳＰｅ，ＳＰｆ）に対してはこの通信光がそのままセンサ光となる。即ち、インターネット１０が光源そのものとなり、インターネット１０から伝送されてくる通信光をそのままセンサ光として活用するものである。
【００３８】
センサ部（ＳＰｅ，ＳＰｆ）を経た通信光（センサ光）は、メディアコンバータあるいはモデムなどの接続機器１２ａで受光される。ここで、接続機器１２ａは第１実施形態とは異なり、受光した通信光（センサ光）をデジタル処理して通信信号を得るだけでなく、通信光（センサ光）の強度もモニター可能とし、その強度変化を捉えてセンサ信号を得る構成とする。このようにして得られた通信信号は、通信ケーブル１２ｂでパーソナルコンピュータ１３に入力されてインターネット上のサーバと情報の授受を行い、一方でセンサ信号はセンサケーブル１２ｃでパーソナルコンピュータ１３に入力され、所定の情報処理がなされる。
上記のように接続機器１２ａで受光されたセンサ光の情報から、第１実施形態と同様に、セキュリティ情報、環境情報あるいは建造物情報などのセンサ部ＳＰで測定しようとしている情報が得られる。
【００３９】
本実施形態においても、第１及び第２実施形態と同様に、光ファイバセンサライン上に複数個のセンサ部を設けてもよく、１個のセンサ部としてもよい。但し、複数個の場合、得られる情報は複数のセンサ部の情報が合わせられた情報となる。
【００４０】
上記のように、本実施形態に係る光ファイバセンサは、光ファイバ通信ラインに光学的に結合するように設けられ、コアおよびコアの外周に設けられたクラッドを備えたシングルモードタイプの光ファイバを有し、ここで、上記の光ファイバは、伝送する光の一部の外界との相互作用を可能にするセンサ部を有し、少なくとも光ファイバ通信ラインからの通信光を伝送する部分を含む光ファイバセンサラインであり、さらに、光ファイバセンサラインの入射端に対してセンサ光を出射する光源と、センサ部を介して光ファイバセンサラインの出射端から出射されるセンサ光を検出する受光部を有する構成である。
【００４１】
従って、本実施形態の光ファイバセンサによると、光ファイバセンサをインターネットなどの光ファイバ通信ライン上で使用でき、通信ラインとセンサラインを共有することが可能である。
【００４２】
本発明は上記の説明に限定されない。
例えば、上記の実施形態において、センサラインに接続するセンサ部の個数に制限はなく、１個でも複数個でもよい。特にＯＤＴＲ計測器を接続した構成では、複数個のセンサ部を識別して各センサ部で得られた情報を得ることが可能である。
その他、本発明の要旨を逸脱しない範囲で、種々の変更が可能である。
【産業上の利用可能性】
【００４３】
本発明の光ファイバ通信ラインに接続された光ファイバセンサは、セキュリティシステム、環境モニタリングシステム、建造物モニタリングシステムなどを構築する光ファイバセンサとして適用できる。
【図面の簡単な説明】
【００４４】
【図１】図１は本発明の第１実施形態に係る光ファイバ通信ラインに接続された光ファイバセンサの模式構成図である。
【図２】図２（ａ）は、センサ部の構成の一例を示すための、光ファイバのセンサ部ＳＰ近傍での斜視図であり、図２（ｂ）はセンサ部近傍での長手方向の断面図である。
【図３】図３（ａ）及び（ｂ）は、センサ部の構成の一例を示すための、光ファイバのセンサ部近傍での長手方向の断面図である。
【図４】図４は本発明の第２実施形態に係る光ファイバ通信ラインに接続された光ファイバセンサの模式構成図である。
【図５】図５は本発明の第３実施形態に係る光ファイバ通信ラインに接続された光ファイバセンサの模式構成図である。
【符号の説明】
【００４５】
３…ヘテロコア部
４…界面
１０…インターネット
１１ａ…第１光ファイバ
１１ｂ…第２光ファイバ
１１ｃ…第３光ファイバ
１１ｄ…第４光ファイバ
１１ｅ…第５光ファイバ
１２，１２ａ…接続機器
１３…パーソナルコンピュータ
１４…合波器
１５…ＯＤＴＲ計測器
１６…分波器
１７…光源
１８…受光部
２０ａ，２０ｂ…光ファイバ
２１，３１…コア
２２，３２…クラッド
３０…光透過部材
ＳＰ，ＳＰａ，ＳＰｂ，ＳＰｃ，ＳＰｄ，ＳＰｅ，ＳＰｆ…センサ部
Ｗ…リーク光
【図１】
2007040738.tif 000003
【図２】
2007040738.tif 000004
【図３】
2007040738.tif 000005
【図４】
2007040738.tif 000006
【図５】
2007040738.tif 000007